(57)【要約】【課題】微弱な放射線を発生させる素材を樹脂に混練させたもので導体や発熱体を被覆し、または前記素材を混練した樹脂により線状材を構成し、微弱放射線の電離作用により、常時、マイナスイオンを発生させるようにする。【解決手段】暖房器具、熱器具等に使用されるコードヒータ４の外被８を、常時、微弱な放射線を発生させる天然鉱石を混練させた樹脂によって構成する。このコードヒータ４は、例えば芯糸５上に合金線６を螺旋状に巻回し、合金線６を巻回した芯糸５上に内被７を介し、前記外被８で被覆して構成したものである。すなわち前記外被８における樹脂には、例えば塩化ビニルを用いることができる。なお、天然鉱石の他、マイナスイオンセラミックを用いることもできる。また、前記外被８により被覆したコードヒータ４を、アルミ箔に溶着し、面状の発熱体として、暖房器具に用いることができる。【選択図】　　　　　　　図２
2004030986.tif 000002
【特許請求の範囲】
【請求項１】
微弱な放射線を常時発生させる天然鉱石を樹脂に混練させて、外被として導線を被覆する構成としたことを特徴とするマイナスイオン発生素材被覆の線状材。
【請求項２】
微弱な放射線を常時発生させる天然鉱石を樹脂に混練させて、外被として発熱線状材を被覆する構成としたことを特徴とするマイナスイオン発生素材被覆の線状材。
【請求項３】
微弱な放射線を常時発生させるセラミックを樹脂に混練させて、外被として導線を被覆する構成としたことを特徴とするマイナスイオン発生素材被覆の線状材。
【請求項４】
微弱な放射線を常時発生させるセラミックを樹脂に混練させて、外被として発熱線状材を被覆する構成としたことを特徴とするマイナスイオン発生素材被覆の線状材。
【請求項５】
微弱な放射線を常時発生させる天然鉱石を樹脂に混練させて構成したことを特徴とするマイナスイオン発生素材製線状材。
【請求項６】
微弱な放射線を常時発生させるセラミックを樹脂に混練させて構成したことを特徴とするマイナスイオン発生素材製線状材。
【発明の詳細な説明】
【０００１】
【発明の属する技術分野】
本発明は、微弱な放射線を発生させる素材を樹脂に混練させたもので導線や発熱線状材を被覆し、または前記素材を混練した樹脂により線状材を構成し、微弱放射線の電離作用により、常時、マイナスイオンを発生させるようにした、マイナスイオン発生素材被覆の線状材およびマイナスイオン発生素材製線状材に関するものである。
【０００２】
【従来の技術】
近年、マイナスイオンによる効果が注目され、健康志向の風潮に相俟って、様々な健康保持繊維製品が見受けられる。
前記マイナスイオンが空気中に放散されると、空気中のイオンバランスを整え、いわゆるヒーリング効果がもたらされるといわれている。
前記繊維製品はかかるマイナスイオン効果を発揮させて健康維持、増進を図るというもので、常温で微量な放射線を出し、空気中の水分子と反応してマイナスイオンを発生する、天然鉱物等の物質を繊維に混入若しくは付着させるようにしている（例えば、特願２０００−３１４４８５）。
【０００３】
【発明が解決しようとする課題】
ところで、このような繊維製品の他、居室においては、様々な家電製品、備品（例えば電気毛布、あんか、カーペット、座布団等）においても、身近にあって間接的直接的に身体に触れるものであるから、もしマイナスイオン発生素材を用いて構成すれば、居室内のイオンバランスを整えて一層、マイナスイオン効果のもたらされる生活空間が形成されるであろうという観点に至った。
本発明は、以上のような観点から提案されたものであって、微弱な放射線を発生させる素材を樹脂に混練させたもので導体や発熱体を被覆し、または前記素材を混練した樹脂により線状材を構成し、微弱放射線の電離作用により、常時、マイナスイオンを発生させるようにした、マイナスイオン発生素材被覆の線状材およびマイナスイオン発生素材製線状材を提供することを目的とする。
【０００４】
【課題を解決するための手段】
前記した課題を達成するために、本発明では、請求項１において、微弱な放射線を常時発生させる天然鉱石を樹脂に混練させて、外被として導線を被覆する構成としたマイナスイオン発生素材被覆の線状材を提案する。
また本発明では、請求項２において、微弱な放射線を常時発生させる天然鉱石を樹脂に混練させて、外被として発熱線状材を被覆する構成としたマイナスイオン発生素材被覆の線状材を提案する。
また本発明では、請求項３において、微弱な放射線を常時発生させるセラミックを樹脂に混練させて、外被として導線を被覆する構成としたマイナスイオン発生素材被覆の線状材を提案する。
また本発明では、請求項４において、微弱な放射線を常時発生させるセラミックを樹脂に混練させて、外被として発熱線状材を被覆する構成としたマイナスイオン発生素材被覆の線状材を提案する。
また本発明では、請求項５において、微弱な放射線を常時発生させる天然鉱石を樹脂に混練させて構成したマイナスイオン発生素材製線状材を提案する。
さらに本発明では、請求項６において、微弱な放射線を常時発生させるセラミックを樹脂に混練させて構成したマイナスイオン発生素材製線状材を提案する。
【０００５】
請求項１によれば、マイナスイオンを常時発生させる導線を形成することができ、身近な家電品に使用することで、マイナスイオン効果の発揮できる環境に寄与することができる。
【０００６】
請求項２によれば、マイナスイオンを常時発生させる発熱体を形成することができ、暖房器具、熱器具等に使用することで、マイナスイオン効果の発揮できる暖房空間をもたらすことができる。
【０００７】
請求項３によれば、マイナスイオンを常時発生させる被覆導線を形成することができ、身近な電気製品に採用すれば、マイナスイオン効果の発揮できる空間をもたらすことができる。
【０００８】
請求項４によれば、マイナスイオンを常時発生させる発熱体を形成することができ、暖房器具、熱器具等に使用することで、マイナスイオン効果の発揮できる暖房空間をもたらすことができる。
【０００９】
請求項５、６によれば、マイナスイオンを常時発生させる線状材を形成することができ、この線状材により様々な身の回りの品を形成すれば、マイナスイオン効果を享受できる環境に役立てることができる。
【００１０】
【発明の実施の形態】
以下、本発明にかかるマイナスイオン発生素材被覆の線状材およびマイナスイオン発生素材製線状材について、一つの実施の形態を挙げ、添付の図面に基づいて説明する。
図１に示す線状材１は、通常の電線で、導線２と例えば塩化ビニルで構成した外被３とで構成している。
かかる外被３を構成する塩化ビニルには、微弱な放射線を発生させる天然鉱石（後述）を周知の手法により混練させて構成している。
【００１１】
そこで微弱な放射線を発生させる天然鉱石について実例を挙げ、説明する。なお、ここで微弱な放射線とは、勿論、人体には安全とされる基準値（１ｍＳｖ／ｙｅａｒ）以下の放射線をいう。
前記天然鉱石としては、天然放射性希土鉱石及び常温遠赤外線放射物質（混合物）を挙げることができる。成分の一例としては、
酸化ジルコニウム　　　　　　４６％
酸化ケイ素　　　　　　　　　２４％
酸化セリウム　　　　　　　　１０％
無水リン酸　　　　　　　　　　８％
酸化ランタン　　　　　　　　　４％
酸化ネオジム　　　　　　　　　３％
酸化トリウム　　　　　　　　　１．８％
酸化ウラン　　　　　　　　　　０．１％
（他、鉄、アルミニウム、カルシウム、マグネシウムを含む。）
ここで、危険有害性成分として、ＰＲＴＲ法指定化学物質に該当するものはなく、前記酸化ジルコニウム（４６％）、酸化ケイ素（２４％）は、労働安全衛生法通知対象物質である。
上記天然鉱物は、放射性物質に分類されるものであるが、放射能３７０ベクレル以下の使用届不要物質となっている。
【００１２】
以上のような成分の天然鉱石を、外被３として、塩化ビニルに、周知の手法により混練して、この外被３により芯線２を被覆して電線１を形成することができる。
これによって、前記電線１は、外被３の塩化ビニルに混練した天然鉱物が、常時微弱な放射線を発生し、衝撃や圧力を加えることなく、空気中の水分子と反応してマイナスイオンを常時発生させることができ、身近な家電品に使用することで、マイナスイオン効果の発揮できる使用環境をもたらすことができる。
【００１３】
また、前記電線１の外被３としては、樹脂として塩化ビニルに、マイナスイオンセラミックを周知の手法により混練させて構成することもできる。
この場合のマイナスイオンセラミックとしては、例えばアルミナ系、マグネシア系、ジルコニア系、チタニア系の他、二酸化ケイ素、酸化クロム、フェライト、スピネル、セリア、ベリリア等が挙げられる。
また、外被３の基材としての樹脂に、例えばポリエチレンを用いることもできる。
【００１４】
また本発明では、図２に示すようなコードヒータ４の外被（後述）に、常時、微弱な放射線を発生させる天然鉱石を、樹脂に混練させて構成することもできる。
このコードヒータ４は、例えば芯糸５上に合金線６を螺旋状に巻回して、指定の抵抗にし、発熱させるもので、前記合金線６を巻回した芯糸５上に内被７を介し、外被８で被覆して構成している。
前記芯糸５には、例えばポリエステルを用いることができ、前記合金線６には、例えば銅錫合金線を用いることができる。
そして、前記外被８は、例えば塩化ビニルを基材として、塩化ビニルに、前述の、常時微弱な放射線を発生させる天然鉱石を混練して構成している。
なお、天然鉱石の他、前述のマイナスイオンセラミックを用いることもできる。
また、前記外被８により被覆したコードヒータ４を、アルミ箔に溶着し、面状の発熱体（図示省略）としてもよい。
【００１５】
以上のように、微弱な放射線を発生させる天然鉱石や、セラミックを樹脂に混練させて外被８として、合金線６を巻回した芯糸５上に内被７を介し被覆して、マイナスイオンを常時発生させるコードヒータ４を形成することができ、暖房器具、熱器具等に使用することで、マイナスイオン効果の発揮できる暖房空間をもたらすことができる。
【００１６】
また本発明では、図３に示すような構成のコードヒータ４としても構成することもできる。
この場合のコードヒータ４では、合金線６を巻回した芯糸５上に第１の内被９、第２の内被１０を介し、最外被１１で被覆して構成し、この最外被１１に、塩化ビニルに、前述の常時微弱な放射線を発生させる天然鉱石を混練して構成している。勿論、常時微弱な放射線を発生させる天然鉱石の他、前述のマイナスイオンセラミックを用いることもできる。
【００１７】
さらに本発明では、微弱な放射線を発生させる天然鉱石や、セラミックを樹脂に混練させて通常の線状材（紐、図示省略）として構成することもできる。
【００１８】
このような線状材によれば、常時マイナスイオンを発生することができ、様々な用途が考えられる。例えば、かかる線状材で織ったものは、各種繊維製品の他、内装素材としても活用でき、マイナスイオンの発生によって、イオンバランスのとれた環境作りに貢献することができる。
【００１９】
【発明の効果】
本発明によれば、
（１）マイナスイオンを常時発生させる導線を形成することができ、身近な家電品に使用することで、マイナスイオン効果の発揮できる環境に寄与することができる。
（２）マイナスイオンを常時発生させる、コードヒータ、発熱体を形成することができ、暖房器具、熱器具等に使用することで、マイナスイオン効果の発揮できる暖房空間をもたらすことができる。
（３）マイナスイオンを常時発生させる線状材を形成することができる。
【００２０】
【図面の簡単な説明】
【図１】本発明にかかるマイナスイオン発生素材被覆の線状材である被覆電線の一例を示した、外観斜視説明図である。
【図２】本発明にかかるマイナスイオン発生素材被覆の線状材であるコードヒータの一例を示した、外観斜視説明図である。
【図３】本発明にかかるマイナスイオン発生素材被覆の線状材であるコードヒータの別例を示した、外観斜視説明図である。
【符号の説明】
１　　　　　　　　　　　　　線状材
２　　　　　　　　　　　　　導線
３　　　　　　　　　　　　　外被
４　　　　　　　　　　　　　コードヒータ
５　　　　　　　　　　　　　芯糸
６　　　　　　　　　　　　　合金線
７　　　　　　　　　　　　　内被
８　　　　　　　　　　　　　外被
９　　　　　　　　　　　　　第１内被
１０　　　　　　　　　　　　第２内被
１１　　　　　　　　　　　　最外被
【図１】
2004030986.tif 000003
【図２】
2004030986.tif 000004
【図３】
2004030986.tif 000005